(57)【要約】【課題】  表示された選択表示パーツに対し、どの選択表示パーツが排他的選択状態にあるか把握できるようにする。【解決手段】  第１の表示部９は背景画面と選択表示パーツとを表示する。配置入力部１１は第１の表示部９に表示された背景画面上への選択表示パーツの配置入力を受け付ける。設定入力部１１は、配置された選択表示パーツに対するグループ名およびパーツ表示名称の設定入力を受け付ける。第１のリスト作成部１９は、排他的選択状態にある選択表示パーツとこれが属するグループ名とを対応付けるための第１のリスト２３を作成する。【選択図】  図１
2011237862.tif 000002
【特許請求の範囲】
【請求項１】
背景画面と、選択状態および非選択状態の切換え表示機能を有する選択表示パーツとを表示部に表示する表示工程と、
表示された前記背景画面上に前記選択表示パーツを配置する配置工程と、
配置された前記選択表示パーツに対してグループ名およびパーツ表示名称を設定する設定工程と、
排他的選択状態にある前記選択表示パーツとこれが属する前記グループ名とを対応付けるための第１のリストを作成する第１のリスト作成工程と、
を具備することを特徴とする選択表示パーツ制御方法。
【請求項２】
個々の前記グループにおいていずれかの前記選択表示パーツを排他的選択状態に変更する変更工程と、選択状態に変更された前記選択表示パーツをこれが属する前記グループにおいて排他的選択状態に変更設定する選択状態変更工程を有し、
前記第１のリスト作成工程は、排他的選択状態に変更された前記選択表示パーツとこれが属する前記グループ名の対応関係を前記第１のリストにて更新する請求項１記載の選択表示パーツ制御方法。
【請求項３】
前記第１のリスト作成工程は、当該選択非選択状態および対応するグループ名の設定された前記選択表示パーツに基づき前記第１のリストを更新する請求項１記載の選択表示パーツ制御方法。
【請求項４】
背景画面と、選択状態および非選択状態の切換え表示機能を有する選択表示パーツとを表示する第１の表示部と、
この第１の表示部に表示された前記背景画面上への前記選択表示パーツの配置入力を受け付ける配置入力部と、
配置された前記選択表示パーツに対するグループ名およびパーツ表示名称の設定入力を受け付ける設定入力部と、
排他的選択状態にある前記選択表示パーツとこれが属する前記グループ名とを対応付けるための第１のリストを作成する第１のリスト作成部と、
を具備することを特徴とする選択表示パーツ制御装置。
【請求項５】
個々の前記グループにおいていずれかの前記選択表示パーツに対して排他的選択状態への変更入力を受け付ける第１の変更入力部と、選択状態に変更された前記選択表示パーツをこれが属する前記グループにおいて排他的選択状態に変更設定する選択状態変更部とを有し、
前記第１のリスト作成部は、排他的選択状態に変更された前記選択表示パーツとこれが属する前記グループ名の対応関係を前記第１のリストにて更新する請求項４記載の選択表示パーツ制御装置。
【請求項６】
前記第１のリスト作成部は、当該選択非選択状態および対応するグループ名の設定された前記選択表示パーツに基づき前記第１のリストを更新する請求項４記載の選択表示パーツ制御装置。
【請求項７】
前記請求項４記載の選択表示パーツ制御装置とこれにネットワークを介して接続され前記選択表示パーツを表示して動作する画像形成装置とを具備し、
前記選択表示パーツ制御装置は、
前記選択表示パーツを表示させる画面情報であって前記選択表示パーツに設定された前記選択非選択状態の設定情報を含む前記画像情報を前記画像形成装置に送信するとともに、前記画像形成装置から前記選択表示パーツの更新情報を受信する第１の通信部と、
受信された前記更新情報に基づき該当する前記選択表示パーツに対して排他的選択状態に変更する選択状態変更部とを有し、
前記第１のリスト作成部は、前記選択状態変更部の変更に基づき該当する前記選択表示パーツとこれが属する前記グループ名の対応関係を前記第１のリストにて更新する機能を具備し、
前記画像形成装置は、
画像データからこれを画像形成する画像形成部と、
前記選択表示パーツ制御装置側から前記画面情報を受信するとともに、前記選択表示パーツ制御装置へ前記更新情報を送信する第２の通信部と、
前記画面情報に基づき前記グループ毎の前記選択表示パーツを表示する第２の表示部と、
個々の前記グループにおいていずれかの前記選択表示パーツに対して排他的選択状態への変更入力を受け付ける第２の変更入力部と、
前記グループ名とこれに属する前記選択表示パーツの前記選択非選択状態を対応付けた第２のリストを作成する第２のリスト作成部と、
前記第２の変更入力部からの変更入力に基づき前記第２のリストを変更するとともに、変更された前記選択表示パーツを排他的選択状態にする前記更新情報を前記第２の通信部から前記選択表示パーツ制御装置側に送信制御する変更制御部と、
を具備することを特徴とする選択表示パーツ制御システム。
【発明の詳細な説明】
【技術分野】
【０００１】
本発明は選択表示パーツ制御方法、選択表示パーツ制御装置および選択表示パーツ制御システムに係り、電子機器、特に、ブラウザを搭載した複写機、プリンタ、ファクシミリ機又はこれらの機能を有する複合機（ＭＦＰ：Multi Function Peripheral）等の画像形成装置を用いるうえで有用な選択表示パーツ制御方法、選択表示パーツ制御装置および選択表示パーツ制御システムの改良に関する。
【背景技術】
【０００２】
従来、複合機等の画像形成装置においては、機能の豊富化に伴い、それらの機能を実行するうえでの種々の設定が必要であり、画像形成装置本体に配置した操作パネル部においてラジオボタンを複数のグループに分けて配置し、それらラジオボタンを選択設定する等してそれらの機能を実現している。
【０００３】
なお、ラジオボタンは、単体では選択状態と非選択状態を持つボタン（画面表示アイコン）であり、通常、複数のラジオボタンを１個のグループにして使用し、グルーピングされたラジオボタン中、常にグループ内の１個のラジオボタンのみが選択状態となる、いわゆる排他的選択状態を提供する選択表示パーツである。
【０００４】
そして、画像形成装置を動作させるアプリケーションプログラムにおいて、ラジオボタンを使用する場合に、グルーピングされているラジオボタンのどのラジオボタンが選択されているかを把握し、選択状態にあるラジオボタンに基づく機能実行を確保する必要がある。
【０００５】
すなわち、ラジオボタンの設定に基づいて種々の機能を実行させるには、どのラジオボタンが選択されているかの把握が重要である。
【０００６】
従来、個々のグルーピング毎にどのラジオボタンが選択されているかを把握する構成としては、例えばグループ毎のラジオボタンリストを予め形成しておき、そのリスト内でラジオボタンの選択非選択状態を登録可能にしており、ラジオボタンのグルーピングを念頭にアプリケーションプログラムを開発している。
【０００７】
なお、特開２００７−３０４８０９号公報（特許文献１）のアプリケーション開発用プログラムは一般的な特許文献である。
【先行技術文献】
【特許文献】
【０００８】
【特許文献１】特開２００７−３０４８０９号公報
【発明の概要】
【発明が解決しようとする課題】
【０００９】
しかしながら、グループ毎のラジオボタンリストを形成してラジオボタンの選択非選択状態を把握する構成では、例えば、ラジオボタンの表示位置を変更する場合、アプリケーションプログラムにおいてユーザがラジオボタンリストを作成し直す必要があり、ラジオボタン表示位置の変更が困難で、ユーザの望む表示画面を作成し難く、使い勝手が低下し易い。
【００１０】
特に、近年、画像形成装置において、出荷した後にユーザがアプリケーションプログラムをカスタマイズし易いよう、製造メーカ側がＷｅｂ（World Wide Web）アプリケーションプログラム開発用の作成ツール(ＳＤＫ：software  development kit）を提供するようになってきており、その作成ツールを用いてユーザが種々の機能変更する事例が増加するとともに、そのアプリケーションプログラムをカスタマイズするうえで、ラジオボタンの表示位置変更が容易で、ラジオボタン本来の機能確保を求める要望が強くなっている。
【００１１】
本発明はそのような課題を解決するためになされたもので、装置に表示された選択表示パーツに対し、そのページ上でグルーピングされているどの選択表示パーツが選択状態にあるかの情報を容易に取得可能であるうえ、カスタマイズに資する選択表示パーツ制御方法、選択表示パーツ制御装置および選択表示パーツ制御システムの提供を目的とする。
【課題を解決するための手段】
【００１２】
そのような課題を解決するために本発明の請求項１に係る選択表示パーツ制御方法は、背景画面と、選択状態および非選択状態の切換え表示機能を有する選択表示パーツとを表示部に表示する表示工程と、表示された背景画面上にその選択表示パーツを配置する配置工程と、配置された選択表示パーツに対してグループ名およびパーツ表示名称を設定する設定工程と、排他的選択状態にある選択表示パーツとこれが属するグループ名とを対応付けるための第１のリストを作成する第１のリスト作成工程と、を具備している。
【００１３】
本発明の請求項２に係る選択表示パーツ制御方法は、個々のグループにおいていずれかの選択表示パーツを選択状態に変更する変更工程と、選択状態に変更された選択表示パーツをこれが属するグループにおいて排他的選択状態に変更設定する選択状態変更工程を有し、その第１のリスト作成工程が、排他的選択状態に変更された選択表示パーツとこれが属するグループ名の対応関係をその第１のリストにて更新する構成である。
【００１４】
本発明の請求項３に係る選択表示パーツ制御方法は、上記第１のリスト作成工程は、当該選択非選択状態および対応するグループ名の設定された選択表示パーツに基づきその第１のリストを作成又は更新する構成である。
【００１５】
本発明の請求項４に係る選択表示パーツ制御装置は、背景画面と、選択状態および非選択状態の切換え表示機能を有する選択表示パーツとを表示する第１の表示部と、この第１の表示部に表示された背景画面上への選択表示パーツの配置入力を受け付ける配置入力部と、配置された選択表示パーツに対するグループ名およびパーツ表示名称を受け付ける設定入力部と、排他的選択状態にある選択表示パーツとこれが属するグループ名とを対応付けるための第１のリストを作成する第１のリスト作成部と、を具備している。
【００１６】
本発明の請求項５に係る選択表示パーツ制御装置は、個々のグループにおいていずれかの前記選択表示パーツに対して排他的選択状態への変更入力を受け付ける第１の変更入力部と、選択状態に変更された選択表示パーツをこれが属するグループにおいて排他的選択状態に変更設定する選択状態変更部を有し、上記第１のリスト作成部が、排他的選択状態に変更された選択表示パーツとこれが属するグループ名の対応関係を第１のリストにて更新する構成である。
【００１７】
本発明の請求項６に係る選択表示パーツ制御装置は、上記第１のリスト作成部が、当該選択非選択状態および対応するグループ名の設定された選択表示パーツに基づきその第１のリストを作成又は更新する構成である。
【００１８】
本発明の請求項７に係る選択表示パーツ制御システムは、上記請求項４記載の選択表示パーツ制御装置とこれにネットワークを介して接続され上記選択表示パーツを表示して動作する画像形成装置とを具備している。
【００１９】
上記選択表示パーツ制御装置は、その選択表示パーツを表示させる画面情報であって選択表示パーツに設定された選択非選択状態の設定情報を含む画像情報を画像形成装置に送信するとともに、画像形成装置から選択表示パーツの更新情報を受信する第１の通信部と、受信された更新情報に基づき該当する選択表示パーツに対して排他的選択状態に変更する選択状態変更部とを有し、その第１のリスト作成部が、選択状態変更部の変更に基づき該当する選択表示パーツとこれが属するグループ名の対応関係をその第１のリストにて更新する機能を具備している。
【００２０】
上記画像形成装置は、画像データからこれを画像形成する画像形成部と、上記選択表示パーツ制御装置側から画面情報を受信するとともに、選択表示パーツ制御装置へ更新情報を送信する第２の通信部と、その画面情報に基づきグループ毎の選択表示パーツを表示する第２の表示部と、個々のグループにおいていずれかの選択表示パーツに対して排他的選択状態への変更入力を受け付ける第２の変更入力部と、そのグループ名とこれに属する選択表示パーツの選択非選択状態を対応付けた第２のリストを作成する第２のリスト作成部と、その第２の変更入力部からの変更入力に基づき第２のリストを変更するとともに、変更された選択表示パーツを排他的選択状態にする更新情報をその第２の通信部から選択表示パーツ制御装置側に送信制御する変更制御部と、を具備している。
【発明の効果】
【００２１】
このような本発明の請求項１、４に係る選択表示パーツ制御方法および選択表示パーツ制御装置では、背景画面と選択表示パーツとを表示部に表示し、表示された背景画面上にその選択表示パーツを配置し、配置された選択表示パーツに対してグループ名およびパーツ表示名称を設定し、設定された選択表示パーツとこれが属するグループ名とを対応付けるための第１のリストを作成するから、表示された選択表示パーツに対し、表示されたページ上でグルーピングされているどの選択表示パーツが選択状態にあるかの情報を容易に取得可能であり、カスタマイズに資する。
【００２２】
本発明の請求項２、５に係る選択表示パーツ制御方法および選択表示パーツ制御装置では、個々のグループにおいていずれかの選択表示パーツを排他的選択状態に変更し、選択状態に変更された選択表示パーツをこれが属するグループにおいて排他的選択状態に設定し、変更された選択表示パーツとこれが属するグループ名の対応関係をその第１のリストにて更新するから、排他的選択状態に設定又は変更設定された選択表示パーツの把握が容易である。
【００２３】
本発明の請求項３、６に係る選択表示パーツ制御方法および選択表示パーツ制御装置では、選択非選択状態および対応するグループ名の設定された選択表示パーツに基づきその第１のリストを作成又は更新するから、選択表示パーツに選択非選択状態およびグループ名を設定しておけば、排他的選択状態に変更設定された選択表示パーツの把握が容易である。
【図面の簡単な説明】
【００２４】
【図１】本発明に係る選択表示パーツ制御方法を実施する選択表示パーツ制御装置を含む選択表示パーツ制御システムを示す概略ブロック図である。
【図２】本発明に係る選択表示パーツ制御装置の第１の表示部における表示状態を説明する図である。
【図３】本発明に係る選択表示パーツ制御装置の動作を説明する図である。
【図４】本発明に係る選択表示パーツ制御装置の動作を説明するフローチャートである。
【図５】本発明における画像形成装置の構成を示す概略ブロック図である。
【図６】本発明における画像形成装置の操作パネル部を説明する図である。
【図７】本発明における画像形成装置の動作を説明する図である。
【図８】本発明に係る選択表示パーツ制御システムの動作を説明するフローチャートである。
【図９】本発明に係る選択表示パーツ制御システムの動作を説明するフローチャートである。
【発明を実施するための形態】
【００２５】
以下、本発明の実施の形態を図面を参照して説明する。なお、本発明に係る選択表示パーツ制御方法、選択表示パーツ制御装置は選択表示パーツ制御システムを説明する過程で説明する。
【００２６】
図１は本発明に係る選択表示パーツ制御装置の実施の一形態を選択表示パーツ制御システムとともに示す概略ブロック図である。
【００２７】
図１において、選択表示パーツ制御システムは、選択表示パーツ制御装置ＡとこれにネットワークＮＴを介して接続された画像形成装置Ｂとを有して構成されている。
【００２８】
選択表示パーツ制御装置Ａは、ＣＰＵ（central processing unit）１を中心にしてＲＯＭ（read only memory）３、ＲＡＭ（random access memory）５、第１の記憶部７、第１の表示部９、入力部１１、第１の通信部１３を有し、例えば情報処理装置（コンピュータ）である。情報処理装置としてはこれ以外にも種々の構成を有するが、本発明の要部ではないので説明および図示を省略する。
【００２９】
ＣＰＵ１は、ＲＯＭ３、ＲＡＭ５、第１の記憶部７、第１の表示部９、入力部１１および第１の通信部１３その他を制御する制御部であるが、詳細は後述する。
【００３０】
ＲＯＭ３はＣＰＵ１の例えば起動動作プログラムを格納したメモリであり、ＲＡＭ５はＣＰＵ１の動作に伴うプログラムを移してこの実行用および作業用に用いるメモリである。
【００３１】
第１の記憶部７は、選択表示パーツ制御装置Ａの動作プログラム、Ｗｅｂアプリケーションプログラム作成用の作成ツール(ＳＤＫ）、後述する第１のリスト等を格納する読み書き可能な例えばハードディスクである。
【００３２】
作成ツール(ＳＤＫ）は、画像形成装置Ｂを動作させるアプリケーションプログラムをユーザが作成するための作成ツールである。
【００３３】
第１の表示部９は、作成ツール(ＳＤＫ）の動作の下で、選択表示パーツ制御装置Ａの動作状態を表示するとともに、例えば図２に示すように、多機能背景画面であるコントロールパネル１５と、ラジオボタン１７およびその他のアイコン（図示せず。）等を表示する公知のディスプレイであり、ＣＰＵ１によって表示制御される。
【００３４】
図１の入力部１１は、例えば公知のキーボードやマウス（図示せず。）であり、ＣＰＵ１の制御の下、種々の操作の入力を受け付けるとともに、第１の表示部９で表示された背景画面１５上へのラジオボタン１７の配置入力を受け付ける配置入力部として機能する。
【００３５】
すなわち、例えば第１の表示部９にコントロールパネル１５、ラジオボタン１７が表示された状態において、入力部１１の例えばマウスによってカーソル（図示省略）でラジオボタン１７を選択（ドラッグ）してコントロールパネル１５上にドロップすることにより、ラジオボタン１７ａがコントロールパネル１５上に配置される。必要個数分のラジオボタン１７ｂ、１７ｃについても同様にして配置される。
【００３６】
入力部１１は、コントロールパネル１５に配置されたラジオボタン１７ａ〜１７ｃに対してグループ名およびパーツ表示名称の設定入力を受け付ける設定入力部としての機能も有するとともに、後述する個々のグループにおいていずれかのラジオボタン１７ａ〜１７ｃに対して選択状態への変更入力を受け付ける第１の変更入力部としての機能も有している。
【００３７】
グループ名およびパーツ表示名称の設定入力は例えばキーボードからの文字入力により設定され、ラジオボタン１７ａ〜１７ｃに対する選択状態への変更入力は、例えばマウスによってカーソルを重ねてクリックしてなされる。
【００３８】
図２において、「６１歳以上」、「２１歳〜６０歳」および「２０歳未満」がパーツ表示名称であり、作成されたアプリケーションプログラムの実行時に、それら「６１歳以上」、「２１歳〜６０歳」および「２０歳未満」のラジオボタン（ラジオボタン１〜３）１７ａ〜１７ｃが選択されて排他的選択状態になる。
【００３９】
第１の通信部１３は、所定のプロトコルに従い、画像形成装置ＢからネットワークＮＴを介して要求メッセージ（ＨＴＴＰ（hypertext transfer protocol）リクエスト）を受信し、要求メッセージに応じた応答メッセージ（ＨＴＴＰレスポンス）を含む動作画面情報を画像形成装置ＢにネットワークＮＴを介して送信する機能を有している。
【００４０】
第１の通信部１３は、ラジオボタン１７ａ〜１７ｃを表示させる画面情報であってラジオボタン１７ａ〜１７ｃに設定された後述する選択非選択状態等の設定情報を含む画像情報を画像形成装置Ｂに送信するとともに、画像形成装置Ｂからラジオボタン１７ａ〜１７ｃの選択情報に係る後述する更新情報を受信する機能を有する。
【００４１】
ＣＰＵ１は、ＲＯＭ３、ＲＡＭ５、第１の記憶部７、第１の表示部９、入力部１１および第１の通信部１３を制御し、受信した要求メッセージ（ＨＴＴＰリクエスト）に応じた動作画面情報を作成制御するとともに、第１のリスト作成部１９および選択状態変更部２１としての機能を有している。
【００４２】
第１のリスト作成部１９は、例えば図３に示すように、各グループにおいてこれに属する個々のラジオボタン１７ａ〜１７ｃについて、これが属するグループ名および選択状態の有無等に係る個別の設定情報（図示せず。）を作成するとともに、各グループ毎に排他的選択状態にあるラジオボタン１７ａ〜１７ｃを対応付けるための第１のリスト２３を作成する機能を有している。
【００４３】
図３において、第１のリスト２３中のグループ１ではラジオボタン１（１７ａ）が、グループ２ではラジオボタン２（１７ｂ）が、既に排他的選択状態にあるとして登録されているが、実際は作成されたアプリケーションプログラムの実行時になされるものである。
【００４４】
第１のリスト作成部１９は、選択状態にされたラジオボタン１７ａ〜１７ｃとこれが属するグループ名の対応関係を第１のリスト２３にて更新する機能の他、当該選択非選択状態および対応するグループ名の設定されたラジオボタン１７ａ〜１７ｃの上述した設定情報に基づき第１のリスト２３を作成又は更新する機能を有している。
【００４５】
選択状態変更部２１は、選択状態に変更されたラジオボタン１７ａ〜１７ｃをこれが属するグループにおいて排他的選択状態に変更設定する機能に加えて、後述するように第１の通信部１３にて受信された更新情報に基づき該当するラジオボタン１７ａ〜１７ｃに対して排他的選択状態に変更する機能を有している。
【００４６】
なお、ラジオボタン１７ａのコントロールパネル１５への配置、グループ名およびパーツ表示名称の設定入力は、作成ツール(ＳＤＫ）によるアプリケーションプログラム作成過程において実行され、ラジオボタン１７ａ〜１７ｃに対する排他的選択状態への設定又は変更入力は、作成されたアプリケーションプログラムによる選択表示パーツ制御装置Ａ又は画像形成装置Ｂの動作中になされ、例えば第１の記憶部７にラジオボタン１７ａ〜１７ｃに係る設定情報おび第１のリスト２３として記憶される。
【００４７】
次に、本発明の選択表示パーツ制御装置Ａのみによる動作を簡単に説明する。
【００４８】
まず、ステップＳ１にてＣＰＵ１がコントロールパネル１５とラジオボタン１７とを第１の表示部９に表示し（表示工程）、ステップＳ２にてコントロールパネル１５上にラジオボタン１７を入力部１１にて配置し（配置工程）、配置されたラジオボタン１７ａ〜１７ｃに対してステップＳ３にて入力部１１からグループ名およびパーツ表示名称を設定する（設定工程）。
【００４９】
続くステップＳ４にて第１のリスト作成部１９がラジオボタン１７ａ〜１７ｃとこれが属するグループ名とを対応付けるための第１のリスト２３を作成する（第１のリスト作成工程）。
【００５０】
この第１のリスト２３の作成によって初期のアプリケーションプログラムが作成される。
【００５１】
以降は、初回の設定を含めたラジオボタン１７ａ〜１７ｃに対する排他的選択状態の変更工程である。
【００５２】
ステップＳ５にて個々のグループにおいていずれかのラジオボタン１７ａ〜１７ｃを選択状態に設定又は変更すると（変更工程）、ステップＳ６にて選択状態に変更されたラジオボタン１７ａ〜１７ｃに対して選択状態変更部２１が選択状態に設定又は変更設定し（選択状態変更工程）、ステップＳ７にて第１のリスト作成部１９が排他的選択状態に変更されたラジオボタン１７ａ〜１７ｃとこれが属するグループ名の対応関係を第１のリスト２３にて設定又は更新して終了する（第１のリスト作成工程）。
【００５３】
これらの主要工程が本発明の選択表示パーツ制御方法を構成する。
【００５４】
このように、本発明に係る選択表示パーツ制御装置Ａは、コントロールパネル１５とラジオボタン１７ａ〜１７ｃとを表示する第１の表示部９と、この第１の表示部９に表示されたコントロールパネル１５上へのラジオボタン１７ａ〜１７ｃの配置入力を受け付ける配置入力部（入力部）１１と、配置されたラジオボタン１７ａ〜１７ｃに対するグループ名およびパーツ表示名称の設定入力部（入力部）１１と、排他的選択状態にあるラジオボタン１７ａ〜１７ｃとこれが属するグループ名とを対応付けるための第１のリスト２３を作成する第１のリスト作成部１９と、個々のグループにおいていずれかの前記選択表示パーツに対して排他的選択状態への変更入力を受け付ける第１の変更入力部（入力部）１１と、選択状態に変更されたラジオボタン１７ａ〜１７ｃをこれが属するグループにおいて排他的選択状態に変更設定する選択状態変更部２１を有し、上記第１のリスト作成部１９が、排他的選択状態に変更されたラジオボタン１７ａ〜１７ｃとこれが属するグループ名の対応関係を第１のリスト２３にて更新する構成である。
【００５５】
そのため、表示されたラジオボタン１７ａ〜１７ｃに対し、表示されている画面ページ上でグルーピングされているどのラジオボタン１７ａ〜１７ｃが排他的選択状態にあるかの情報を第１のリスト２３に容易に登録設定可能であるし、これから取得も可能で、排他的選択状態に変更設定されたラジオボタン１７ａ〜１７ｃの把握も容易であり、アプリケーションプログラムのカスタマイズに有用である。
【００５６】
また、第１のリスト作成部１９が、当該選択非選択状態および対応するグループ名の設定されたラジオボタン１７ａ〜１７ｃに基づきその第１のリスト２３を更新可能であるから、ラジオボタン１７ａ〜１７ｃに選択非選択状態およびグループ名を設定しておけば、排他的選択状態に変更設定されたラジオボタン１７ａ〜１７ｃの把握が容易である。
【００５７】
上述した構成は、本発明に係る選択表示パーツ制御装置Ａのみによる構成や動作説明であったが、選択表示パーツ制御装置Ａには画像形成装置Ｂを接続して選択表示パーツ制御システムを構成して実施される場合が多いから、以下に選択表示パーツ制御システムを説明する。
【００５８】
なお、選択表示パーツ制御装置Ａについては既に説明したから、以下では主には画像形成装置Ｂについて説明する。
【００５９】
図５は画像形成装置Ｂの構成を示す概略ブロック図である。
【００６０】
図５において、画像形成装置Ｂは、主制御部２５を中心にして画像読取部２７、第２の記憶部２９、操作パネル部３１、印刷部３３および第２の通信部３５を有し、例えば複合機（ＭＦＰ）を構成している。画像形成装置Ｂとしてはこれ以外にも種々の構成を有するが、本発明の要部ではないので説明および図示を省略する。
【００６１】
主制御部２５は、画像読取部２７、第２の記憶部２９、操作パネル部３１、印刷部３３および第２の通信部３５その他を制御するものである。
【００６２】
画像読取部２７は、画像形成装置Ｂにおいて、主制御部２５の制御の下、例えば印刷された原稿から画像を光学的に読み込み、フィルタ処理等をして電子的画像データを生成する公知のスキャナ等であり、生成した画像データが原稿の頁毎に第２の記憶部２９に順次記憶されるようになっている。
【００６３】
第２の記憶部２９は、画像読取部２７からの画像データ、主制御部２５の動作プログラム、ＨＴＭＬ言語文書に基づく画像画面を表示させるプログラムであるブラウザ（例えば、Microsoft社のInternet Explorer（商標））に加えて、後述する第２のリスト４７等を格納する読み書き可能な例えばハードディスク（ＨＤＤ）である。
【００６４】
操作パネル部３１は、例えば図６に示すように、画像形成装置Ｂの動作状態を画像画面で表示する第２の表示部としての表示パネル部３７と、動作機能を選択入力する第２の変更入力部としてのハードキー３９を有しており、主制御部２５によって制御される。
【００６５】
表示パネル部３７は、主制御部２５の制御の下、ブラウザの動作に基づき、選択表示パーツ制御装置Ａからの動作機能に係る動作画面、その他を表示する例えば液晶表示パネルである。動作画面には、上述したコントロールパネル１５上にラジオボタン１７ａ〜１７ｃが配置された状態で表示される。
【００６６】
ハードキー３９は、表示パネル部３７の外周に配置された複数の機構的スイッチであり、予め、デフォルト動作態様に係る動作機能、例えばコピー（画像読取）キーやファクシミリ送受信キー等の動作選択キー３９ａ、印刷枚数等を設定するテンキー３９ｂ、機能動作をスタートさせるスタートキー３９ｃ、動作をストップさせるストップキー３９ｄ等を有しており、それらキー３９ｃ〜３９ｄの押下操作によって該当する動作機能（イベント）実行が主制御部２５に出力される。
【００６７】
表示パネル部３７にはタッチスイッチとしての透過性タッチパネル部４１（図５では見えない。）が重ねられており、タッチパネル部４１のタッチ押下によって該当する動作機能（イベント）実行が主制御部２５に出力される。
【００６８】
図５の印刷部３３は、図示はしないが、主制御部２５の制御の下、用紙のセットされる複数の給紙段と、給紙段から１次給紙された用紙を２次給紙するとともに、２次給紙された用紙に対し、第２の記憶部２９の画像データに基づき形成したトナー像を転写する画像形成部と、トナー像の転写された用紙を加熱定着する定着部その他を有して形成されている。
【００６９】
第２の通信部３５は、主制御部２５の制御の下、所定のプロトコル例えばＨＴＴＰ規約に従って表示画面に係る要求メッセージ（ＨＴＴＰリクエスト）を選択表示パーツ制御装置Ａに送信し、選択表示パーツ制御装置Ａからの応答メッセージ（ＨＴＴＰレスポンス）によるＨＴＭＬ文書を受信して主制御部２５に出力する機能を有するとともに、選択情報を選択表示パーツ制御装置Ａに送信する機能を有している。
【００７０】
第２の通信部３５は、ネットワークＮＴを介して上述した選択表示パーツ制御装置Ａ側から画面情報を受信するとともに、選択表示パーツ制御装置Ａへ更新情報を送信する機能を有している。
【００７１】
主制御部２５は、ＣＰＵ、このＣＰＵの起動プログラムを格納した作業用メモリ部、入出力インターフェース（いずれも図示せず。）を有し、上述した画像読取部２７、第２の記憶部２９、操作パネル部３１、印刷部３３および第２の通信部３５その他を制御し、選択表示パーツ制御装置Ａからの画面情報に基づき動作制御する機能を有している。
【００７２】
すなわち、主制御部２５は、ブラウザの動作に基づき、第２の通信部３５を介して入力した選択表示パーツ制御装置Ａからの応答メッセージ（ＨＴＴＰレスポンス）にあるＨＴＭＬ文書を解析し、得られた表示画像を表示パネル部３７に対し表示制御する機能を有している。
【００７３】
さらに、主制御部２５は、第２のリスト作成部４３および変更制御部４５としての機能も有している。
【００７４】
第２のリスト作成部４３は、上述した画面情報にあるラジオボタン１７ａ〜１７ｃの設定情報に基づき、グループ名とこれに属する選択表示パーツの選択非選択状態を対応付けた第２のリスト４７を作成する機能を有している。
【００７５】
第２のリスト４７は、例えば図７に示すように、各グループ毎の個々のラジオボタン１７ａ〜１７ｃの設定情報を対応付けた一覧である。
【００７６】
変更制御部４５は、各グループ毎の個々のラジオボタン１７ａ〜１７ｃの設定情報を管理し、操作パネル部（第２の変更入力部）３１からの変更入力に基づき個々のラジオボタン１７ａ〜１７ｃの設定情報を変更制御し、第２のリスト４７を変更するとともに、変更されたラジオボタン１７ａ〜１７ｃを排他的選択状態に更新するための更新情報を第２の通信部３５から選択表示パーツ制御装置Ａ側に送信制御する機能を有している。
【００７７】
次に、選択表示パーツ制御システムの使用例を図８および図９を参照して簡単に説明する。
【００７８】
なお、図４に示したように、既に第１のリストが作成済みであるとして説明するとともに、選択表示パーツ制御装置Ａと画像形成装置Ｂ間の動作に係る画面表示については省略する。
【００７９】
図８において、動作がスタートすると、ステップＳ１０にて選択表示パーツ制御装置Ａにおけるラジオボタン１７ａ〜１７ｃを含む表示画面がＣＰＵ１の制御下で読み込まれると、ステップＳ１１にて表示画面の読み込みがラジオボタン１７ａ〜１７ｃの排他的選択状態の変更を伴わないイベント発生によるものか否かＣＰＵ１で判別する。
【００８０】
初期表示であってステップＳ１１がＮＯであれば、ステップＳ１２にて各ラジオボタン１７ａ〜１７ｃの選択状態変更部２１が設定情報を取得し、ステップＳ１３にて第１のリスト作成部１９が第１のリスト２３を作成してステップＳ１６に移る。
【００８１】
その表示画面の読込みが排他的選択状態の変更を伴うイベント発生によるものであってステップＳ１１がＹＥＳであれば、ステップＳ１４にてラジオボタン１７ａ〜１７ｃに係る更新情報に基づき第１のリスト作成部１９が第１のリスト２３を更新し、ステップＳ１５にて第１のリスト２３に基づき選択状態変更部２１が各ラジオボタン１７ａ〜１７ｃの設定状態を更新してステップＳ１６に移る。
【００８２】
これらステップＳ１４、Ｓ１５は、例えば、後述する画像形成装置Ｂ側でラジオボタン１７ａ〜１７ｃの選択状態を変更動作させた後の処理工程である。
【００８３】
ステップＳ１６では設定情報をＣＰＵ１が第１の通信部１３から画像形成装置Ｂへ送信制御し、ステップＳ１７にて画像形成装置Ｂ側で第２のリスト４７を作成し、ステップＳ１８にてラジオボタン１７ａ〜１７ｃを含む表示画面の表示がなされて終了する。
【００８４】
次に、画像形成装置Ｂ側で表示されたラジオボタン１７ａ〜１７ｃの選択状態を変更する動作を、図９を参照して説明する。
【００８５】
動作プログラムがスタートし、ステップＳ２０にて操作パネル部３１にて非選択状態にあるラジオボタン１７ａ〜１７ｃのいずれかがクリックされると、ステップＳ２１にてクリックされたラジオボタン１７ａ〜１７ｃの属するグループのラジオボタン１７ａ〜１７ｃの設定情報を第２のリスト４７に基づき主制御部２５が取得し、ステップＳ２２にて主制御部２５が同グループの全てのラジオボタン１７ａ〜１７ｃについて設定状態を順次判別する。
【００８６】
ステップＳ２２にて当該グループに属する全てのラジオボタン１７ａ〜１７ｃについて更新確認が終了したか否か判別され、判別が終了せずにステップＳ２２がＮＯであれば、ステップＳ２３にて主制御部２５がクリックされたラジオボタン１７ａ〜１７ｃか否か判別する。
【００８７】
クリックされたラジオボタン１７ａ〜１７ｃであってステップＳ２３がＹＥＳであれば、ステップＳ２４にて変更制御部４５が当該ラジオボタン１７ａ〜１７ｃの設定情報を選択状態に更新してステップＳ２６に移る。
【００８８】
クリックされたラジオボタン１７ａ〜１７ｃではなくてステップＳ２３がＮＯであれば、ステップＳ２５にて変更制御部４５が当該ラジオボタン１７ａ〜１７ｃを非選択状態に更新処理してステップＳ２６に移る。
【００８９】
続く、ステップＳ２６にてラジオボタン１７ａ〜１７ｃについてその他の設定情報を更新してステップＳ２２に戻り、ステップＳ２２がＮＯになるまでステップＳ２２〜Ｓ２６を繰り返し、ステップＳ２２がＮＯになるとステップＳ２７に移る。
【００９０】
ステップＳ２７では主制御部２５が選択表示パーツ制御装置Ａへの更新情報の選択表示パーツ制御装置Ａへの送信の要否を判別し、送信が不要でステップＳ２７がＮＯであれば終了し、送信が必要でステップＳ２７がＹＥＳであればステップＳ２８にて主制御部２５が第２の通信部３５を制御して更新情報を選択表示パーツ制御装置Ａへ送信し、図８のステップＳ１０に移る。
【００９１】
このような本発明の選択表示パーツ制御システムは、選択表示パーツ制御装置Ａに画像形成装置Ｂを接続し、選択表示パーツ制御装置Ａで動作するアプリケーションプログラムに基づき動作する画像形成装置Ｂにおいて、表示されたラジオボタン１７ａ〜１７ｃの選択状態を変更することが容易であるうえ、選択状態を変更したラジオボタン１７ａ〜１７ｃについて選択表示パーツ制御装置Ａおよび画像形成装置Ｂの双方で排他的選択状態の把握が容易である。
【００９２】
すなわち、本発明の選択表示パーツ制御システムでは、選択表示パーツ制御装置Ａにおいて、グループ毎の排他的選択状態にあるラジオボタン１７ａ〜１７ｃを示す第１のリスト２３と個々のラジオボタン１７ａ〜１７ｃに選択状態を設定して設定情報を形成する。
【００９３】
画像形成装置Ｂ側では、選択表示パーツ制御装置Ａからの制御によって動作画面を表示する過程で、ラジオボタン１７ａ〜１７ｃの設定情報から第２のリスト４７を作成し、ラジオボタン１７ａ〜１７ｃの排他的選択状態を変更する操作（クリック）がなされると、ラジオボタン１７ａ〜１７ｃの設定情報を変更した更新情報を選択表示パーツ制御装置Ａへ送信する。
【００９４】
選択表示パーツ制御装置Ａでは、ラジオボタン１７ａ〜１７ｃの設定情報を更新するとともに第１のリスト２３も更新し、この更新による変更画面情報を画像形成装置Ｂ側に送信し、画像形成装置Ｂ側では第２のリスト４７を更新し、ラジオボタン１７ａ〜１７ｃの選択状態について、選択表示パーツ制御装置Ａと画像形成装置Ｂの双方で一致させることが可能である。
【００９５】
なお、上述した本発明においては、コントロールパネル１５とラジオボタン１７ａ〜１７ｃを例にして説明したが、本発明では、多機能背景画面背景画面と、選択状態および非選択状態の切換え表示機能を有する選択表示パーツとにおいて実施可能である。
【符号の説明】
【００９６】
１  ＣＰＵ
３  ＲＯＭ
５  ＲＡＭ
７  第１の記憶部
９  第１の表示部
１１  入力部（配置入力部、設定入力部、第１の変更入力部）
１３  第１の通信部
１５  コントロールパネル（背景画面）
１７  ラジオボタン
１７ａ、１７ｂ、１７ｃ  ラジオボタン（選択表示パーツ）
１９  第１のリスト作成部
２１  選択状態変更部
２３  第１のリスト
２３ａ、２３ｂ、２３ｃ  ソフトキー
２５  主制御部
２７  画像読取部
２９  第２の記憶部
３１  操作パネル部（第２の表示部、第２の変更入力部）
３３  印刷部（画像形成部）
３５  第２の通信部
３７  表示パネル部（表示部）
３９  ハードキー（第２の変更入力部）
３９ａ  動作選択キー（ハードキー）
３９ｂ  テンキー（ハードキー）
３９ｃ  スタートキー（ハードキー）
４１  透過性タッチパネル部
４３  第２のリスト作成部
４５  変更制御部
４７  第２のリスト
Ａ  選択表示パーツ制御装置
Ｂ  画像形成装置
ＮＴ  ネットワーク
【図１】
2011237862.tif 000003
【図２】
2011237862.tif 000004
【図３】
2011237862.tif 000005
【図４】
2011237862.tif 000006
【図５】
2011237862.tif 000007
【図６】
2011237862.tif 000008
【図７】
2011237862.tif 000009
【図８】
2011237862.tif 000010
【図９】
2011237862.tif 000011